(57)【特許請求の範囲】
【請求項１】
調理物を加熱するバーナと、前記バーナによる加熱の開始／加熱の停止を指令するために操作される加熱／停止操作手段と、調理モードを設定する調理モード設定手段と、前記加熱／停止操作手段の操作に応じて前記バーナによる加熱の開始／加熱の停止を制御すると共に、前記調理モード設定手段の設定操作に応じて前記バーナを制御して自動調理を実行する制御手段と、前記制御手段への電力の供給をオンオフするために操作される電源スイッチとを備え、前記制御手段は、前記電源スイッチがオフ操作されたときには、当該制御手段への給電ラインを遮断することなく、保持するための電源保持信号を出力するガスコンロにおいて、
前記制御手段は、前記自動調理の実行中に前記電源スイッチがオフ操作されたときには、前記バーナへの燃料ガスを遮断して前記バーナによる加熱を停止して実行中の自動調理を中断する自動調理中断状態に移行し、
前記自動調理中断状態において、中断した自動調理を再開するための条件を満たす再開操作がされたときには、前記バーナへの燃料ガスの前記遮断を解除して前記バーナによる加熱を再開して中断した自動調理を再び実行し、前記再開操作がされなかったときには、中断した自動調理を終了して、前記電源保持信号の出力を停止するものであり、
前記再開操作が、前記電源スイッチが前記オフ操作された時点から所定時間が経過するまでの期間内であって、かつ、前記電源保持信号が出力されている期間内に行われる所要の操作である、
ことを特徴とするガスコンロ。
【請求項２】
調理物を加熱するバーナと、前記バーナによる加熱の開始／加熱の停止を指令するために操作される加熱／停止操作手段と、調理モードを設定する調理モード設定手段と、前記加熱／停止操作手段の操作に応じて前記バーナによる加熱の開始／加熱の停止を制御すると共に、前記調理モード設定手段の設定操作に応じて前記バーナを制御して自動調理を実行する制御手段と、前記制御手段への電力の供給をオンオフするために操作される電源スイッチとを備え、前記制御手段は、前記電源スイッチがオフ操作されたときには、当該制御手段への給電ラインを遮断することなく、保持するための電源保持信号を出力するガスコンロにおいて、
前記制御手段は、前記自動調理の実行中に前記電源スイッチがオフ操作されたときには、前記バーナへの燃料ガスを遮断して前記バーナによる加熱を停止して実行中の自動調理を中断する自動調理中断状態に移行し、
前記自動調理中断状態において、中断した自動調理を再開するための条件を満たす再開操作がされたときには、前記バーナへの燃料ガスの前記遮断を解除して前記バーナによる加熱を再開して中断した自動調理を再び実行し、前記再開操作がされなかったときには、中断した自動調理を終了して、前記電源保持信号の出力を停止するものであり、
前記バーナが、前記調理物を収容する調理容器を加熱するものであり、
前記調理容器の温度を検出する温度検出手段を備え、
前記再開操作が、前記電源スイッチが前記オフ操作された時点の前記温度検出手段による検出温度が所定温度低下するまでの期間内であって、かつ、前記電源保持信号が出力されている期間内に行われる所要の操作である、
ことを特徴とするガスコンロ。
【請求項３】
前記制御手段は、前記自動調理中断状態に移行するときには、実行中の前記自動調理の制御情報を記憶し、前記バーナによる加熱を再開するときには、前記制御情報に基づいて、中断した自動調理を再び実行する、
請求項１または２に記載のガスコンロ。
【請求項４】
前記所要の操作が、前記電源スイッチのオン操作及び前記加熱／停止操作手段の加熱の開始を指令する操作である、
請求項１ないし３のいずれかに記載のガスコンロ。
【請求項５】
前記自動調理の実行中に、前記自動調理に関する表示を行う自動調理用表示手段を備え、
前記制御手段は、自動調理用表示手段を制御すると共に、前記自動調理中断状態では、前記自動調理用表示手段による表示を行わない、
請求項１ないし４のいずれかに記載のガスコンロ。
【請求項６】
前記制御手段は、前記自動調理中断状態に移行するときには、自動調理用表示手段による表示を行わないようにする前に、一定期間に亘って、前記自動調理用表示手段による通常の表示態様とは異なる表示態様の表示を行う、
請求項５に記載のガスコンロ。
【請求項７】
前記調理モード設定手段は、調理時間が設定されるタイマ設定部を有し、
前記制御手段は、前記タイマ設定部に設定される調理時間を計測するタイマ計測部を有し、
前記自動調理用表示手段は、前記調理時間が終了するまでの残時間を表示する残時間表示部を有し、
前記制御手段は、前記自動調理中断状態では、前記残時間表示部による残時間の表示を行わず、前記加熱手段による加熱を再開して中断した自動調理を再び実行すると、前記残時間表示部による残時間の表示を行う、
請求項５または６に記載のガスコンロ。
【請求項８】
前記制御手段は、前記自動調理中断状態に移行するときには、前記残時間表示部による残時間の表示を行わないようにする前に、一定期間に亘って、前記残時間表示部による通常の表示態様とは異なる表示態様の表示を行う、
請求項７に記載のガスコンロ。
【発明の詳細な説明】
【技術分野】
【０００１】
本発明は、ガスコンロに関し、更に詳しくは、自動調理を行うガスコンロに関する。
【背景技術】
【０００２】
タイマ調理を含む自動調理が行える加熱調理器として、例えば、特許文献１には、メニュースイッチの操作によって、揚げ物、炊飯、湯沸し、煮込みの各自動調理モードをそれぞれ設定することができると共に、各調理モードによる調理時間を、タイマ設定部によって設定することができる加熱調理器が示されている。この加熱調理器では、制御手段は、タイマ設定部に設定される調理時間を計測するタイマ計測部を有し、ガスコンロ部によって加熱される調理容器の検出温度に基づいて、ガスコンロ部の燃焼を制御し、タイマ計測部によって計測される調理時間が、設定したタイマ時間になると、すなわち、タイムアップすると、ブザーによって報知し、ガスコンロ部は自動消火して調理モードを終了する。
【先行技術文献】
【特許文献】
【０００３】
【特許文献１】特開２０１４−１０５９６１号公報
【発明の概要】
【発明が解決しようとする課題】
【０００４】
上記のような加熱調理器では、自動調理の実行中において、使用者が、電源スイッチを不用意に操作してしまった時には、制御手段を始め各部への電力の供給がされなくなり、制御手段は、ガスコンロ部を自動消火して自動調理は中止される。このため、使用者は、自動調理を継続しようとすると、再度、調理モードの設定しなければならない。この場合、炊飯や煮込みといった自動調理が既に途中の状態まで進んでしまっているときには、残りの必要となる加熱工程が分からず、適切に調理が完了できない虞がある。
【０００５】
本発明は、このような実情に着目してなされたものであって、自動調理の実行中に、使用者が不用意に電源スイッチを操作してしまったときにも、安全に自動調理を再び実行することができるガスコンロを提供することを目的とする。
【課題を解決するための手段】
【０００６】
上記目的を達成するために、本発明では次のように構成している。
【０００７】
（１）本発明は、調理物を加熱するバーナと、前記バーナによる加熱の開始／加熱の停止を指令するために操作される加熱／停止操作手段と、調理モードを設定する調理モード設定手段と、前記加熱／停止操作手段の操作に応じて前記バーナによる加熱の開始／加熱の停止を制御すると共に、前記調理モード設定手段の設定操作に応じて前記バーナを制御して自動調理を実行する制御手段と、前記制御手段への電力の供給をオンオフするために操作される電源スイッチとを備え、前記制御手段は、前記電源スイッチがオフ操作されたときには、当該制御手段への給電ラインを遮断することなく、保持するための電源保持信号を出力するガスコンロにおいて、
前記制御手段は、前記自動調理の実行中に前記電源スイッチがオフ操作されたときには、前記バーナへの燃料ガスを遮断して前記バーナによる加熱を停止して実行中の自動調理を中断する自動調理中断状態に移行し、前記自動調理中断状態において、中断した自動調理を再開するための条件を満たす再開操作がされたときには、前記バーナへの燃料ガスの前記遮断を解除して前記バーナによる加熱を再開して中断した自動調理を再び実行し、前記再開操作がされなかったときには、中断した自動調理を終了して、前記電源保持信号の出力を停止するものであり、前記再開操作が、前記電源スイッチが前記オフ操作された時点から所定時間が経過するまでの期間内であって、かつ、前記電源保持信号が出力されている期間内に行われる所要の操作である。
【０００８】
本発明によると、自動調理の実行中に、使用者が不用意に電源スイッチをオフ操作しても、直ちに自動調理を終了するのではなく、加熱を停止した自動調理中断状態に移行し、この自動調理中断状態において、自動調理を再開するための条件を満たす再開操作がされたときには、中断した自動調理を再開して残りの自動調理を実行し、再開操作がされなかったときには、中断した自動調理を終了させるので、使用者が、不用意に電源スイッチをオフ操作しても、使用者が再開操作をすることによって、適切に自動調理を完了させることができ、また、再開操作がされないときには、加熱が再開されることなく自動調理を終了するので、安全である。
また、本発明によると、自動調理の実行中に、使用者が不用意に電源スイッチをオフ操作しても、その時点から所定時間が経過するまでの期間内であって、かつ、前記電源保持信号が出力されている期間内に所要の操作をすることによって、中断した自動調理を再び実行することができる。
【０００９】
（２）本発明は、調理物を加熱するバーナと、前記バーナによる加熱の開始／加熱の停止を指令するために操作される加熱／停止操作手段と、調理モードを設定する調理モード設定手段と、前記加熱／停止操作手段の操作に応じて前記バーナによる加熱の開始／加熱の停止を制御すると共に、前記調理モード設定手段の設定操作に応じて前記バーナを制御して自動調理を実行する制御手段と、前記制御手段への電力の供給をオンオフするために操作される電源スイッチとを備え、前記制御手段は、前記電源スイッチがオフ操作されたときには、当該制御手段への給電ラインを遮断することなく、保持するための電源保持信号を出力するガスコンロにおいて、
前記制御手段は、前記自動調理の実行中に前記電源スイッチがオフ操作されたときには、前記バーナへの燃料ガスを遮断して前記バーナによる加熱を停止して実行中の自動調理を中断する自動調理中断状態に移行し、前記自動調理中断状態において、中断した自動調理を再開するための条件を満たす再開操作がされたときには、前記バーナへの燃料ガスの前記遮断を解除して前記バーナによる加熱を再開して中断した自動調理を再び実行し、前記再開操作がされなかったときには、中断した自動調理を終了して、前記電源保持信号の出力を停止するものであり、前記バーナが、前記調理物を収容する調理容器を加熱するものであり、前記調理容器の温度を検出する温度検出手段を備え、前記再開操作が、前記電源スイッチが前記オフ操作された時点の前記温度検出手段による検出温度が所定温度低下するまでの期間内であって、かつ、前記電源保持信号が出力されている期間内に行われる所要の操作である。
【００１０】
本発明によると、自動調理の実行中に、使用者が不用意に電源スイッチをオフ操作しても、直ちに自動調理を終了するのではなく、加熱を停止した自動調理中断状態に移行し、この自動調理中断状態において、自動調理を再開するための条件を満たす再開操作がされたときには、中断した自動調理を再開して残りの自動調理を実行し、再開操作がされなかったときには、中断した自動調理を終了させるので、使用者が、不用意に電源スイッチをオフ操作しても、使用者が再開操作をすることによって、適切に自動調理を完了させることができ、また、再開操作がされないときには、加熱が再開されることなく自動調理を終了するので、安全である。
また、本発明によると、自動調理の実行中に、使用者が不用意に電源スイッチをオフ操作しても、その時点の調理容器の検出温度が、所定温度低下するまでの期間内であって、かつ、前記電源保持信号が出力されている期間内に所要の操作をすることによって、中断した自動調理を再び実行することができる。
【００１１】
（３）本発明の他の実施態様では、前記制御手段は、前記自動調理中断状態に移行するときには、実行中の前記自動調理の制御情報を記憶し、前記バーナによる加熱を再開するときには、前記制御情報に基づいて、中断した自動調理を再び実行する。
【００１２】
この実施態様によると、自動調理の実行中に、使用者が不用意に電源スイッチをオフ操作して、自動調理中断状態に移行するときには、実行中の自動調理の制御情報を記憶するので、再開操作がされたときには、記憶した制御情報に基づいて、中断した残りの自動調理を実行することができる。
【００１５】
（４）本発明の更に他の実施態様では、前記所要の操作が、前記電源スイッチのオン操作及び前記加熱／停止操作手段の加熱の開始を指令する操作である。
【００１６】
この実施態様によると、自動調理の実行中に、使用者が不用意に電源スイッチをオフ操作しても、それに気づいた使用者が、電源スイッチをオン操作し、加熱／停止操作手段による加熱開始の操作をすることによって、中断した自動調理を再び安全に実行することができる。
【００１７】
（５）本発明の好ましい実施態様では、前記自動調理の実行中に、前記自動調理に関する表示を行う自動調理用表示手段を備え、前記制御手段は、自動調理用表示手段を制御すると共に、前記自動調理中断状態では、前記自動調理用表示手段による表示を行わない。
【００１８】
この実施態様によると、使用者が、不用意に電源スイッチをオフ操作して、自動調理中断状態になると、自動調理用表示手段による表示が行われなくなるので、使用者は、不用意に電源スイッチをオフ操作したことを認識することができる。
【００１９】
（６）上記（５）の実施態様では、前記制御手段は、前記自動調理中断状態に移行するときには、自動調理用表示手段による表示を行わないようにする前に、一定期間に亘って、前記自動調理用表示手段による通常の表示態様とは異なる表示態様の表示を行ってもよい。
【００２０】
この実施態様によると、使用者が不用意に電源スイッチをオフ操作したために、自動調理中断状態に移行するときには、一定期間に亘って、通常の表示態様とは異なる表示態様の表示を行うので、使用者は、不用意に電源スイッチをオフ操作したために、自動調理が中断されたことをより確実に認識することができる。
【００２１】
（７）上記（５）または（６）に記載の実施態様では、前記調理モード設定手段は、調理時間が設定されるタイマ設定部を有し、前記制御手段は、前記タイマ設定部に設定される調理時間を計測するタイマ計測部を有し、前記自動調理用表示手段は、前記調理時間が終了するまでの残時間を表示する残時間表示部を有し、前記制御手段は、前記自動調理中断状態では、前記残時間表示部による残時間の表示を行わず、前記加熱手段による加熱を再開して中断した自動調理を再び実行すると、前記残時間表示部による残時間の表示を行うようにしてもよい。
【００２２】
この実施態様によると、使用者が不用意に電源スイッチをオフ操作したために、自動調理を中断する自動調理中断状態に移行すると、調理時間の残り時間である残時間の表示が行われず、使用者が、再開操作を行って中断した自動調理が再び実行されると、残時間の表示を行うので、使用者の操作と残時間の表示とが対応し、使い勝手の良いものとなる。
【００２３】
（８）上記（７）の実施態様では、前記制御手段は、前記自動調理中断状態に移行するときには、前記残時間表示部による残時間の表示を行わないようにする前に、一定期間に亘って、前記残時間表示部による通常の表示態様とは異なる表示態様の表示を行うようにしてもよい。
【００２４】
この実施態様によると、使用者が不用意に電源スイッチをオフ操作したために、自動調理を中断する自動調理中断状態に移行するときには、一定期間に亘って、残時間表示部に、通常の表示態様とは異なる表示態様の表示を行うので、使用者は、不用意に電源スイッチをオフ操作したために、自動調理が中断されたことを認識することができる。
【発明の効果】
【００２５】
本発明によれば、自動調理の実行中に、使用者が不用意に電源スイッチをオフ操作しても、直ちに自動調理を終了するのではなく、加熱を停止した自動調理中断状態に移行し、この自動調理中断状態において、自動調理を再開するための条件を満たす再開操作がされたときには、中断した自動調理を再開し、再開操作がされなかったときには、中断した自動調理を終了させるので、使用者が、不用意に電源スイッチをオフ操作しても、使用者が再開操作をすることによって、適切に自動調理を完了させることができ、また、再開操作がされないときには、加熱が再開されることなく自動調理が終了し、安全である。
【図面の簡単な説明】
【００２６】
【図１】本発明の一実施形態に係るガスコンロの斜視図である。
【図２】図１のガスコンロの燃料供給路の説明図である。
【図３】ガスコンロ用調理設定入力部の正面図である。
【図４】本発明の一実施形態のガスコンロによる煮込み調理モードの火力及び鍋の温度変化を示す図である。
【発明を実施するための形態】
【００２７】
以下、本発明の実施形態について図面を参照しながら説明する。
【００２８】
この実施形態では、加熱調理器として、グリル付きガスコンロに適用して説明する。
【００２９】
この実施形態のグリル付きガスコンロＡは、図１に示すように、コンロ本体１の上部に、最大火力の異なるコンロバーナからなる３つのガスコンロ部２ａ〜２ｃを備え、コンロ本体１の左右中央には、グリルバーナ（図示せず）を内装すると共に、グリル扉３ａを前方に備えるグリル皿（図示せず）を前面から出し入れ可能に装着したグリル３を備えている。
【００３０】
このグリル付きガスコンロＡは、図示しないキッチンキャビネットに落とし込み装着されるビルトインタイプである。
【００３１】
コンロ本体１の上部は、天板４で覆われると共に、コンロ奥端の上面にグリル３の燃焼排ガスを排出するためのグリル排気口５が設けられている。
【００３２】
この実施形態では、天板４の手前側の左右に配設したガスコンロ部２ａ，２ｂの一方（左側）が、標準火力のガスコンロ部２ａとなっており、他方(右側)が、高火力のガスコンロ部２ｂとなっている。また、奥側の中央部に配設したガスコンロ部２ｃが、小火力のガスコンロ部２ｃとなっている。各ガスコンロ部２ａ〜２ｃには、調理容器、例えば鍋の底部の温度を検出するサーミスタからなる温度センサ７ａ〜７ｃがそれぞれ装備されていると共に、対応する五徳６ａ〜６ｃがそれぞれ載置されている。
【００３３】
各ガスコンロ部２ａ〜２ｃには、図示していないが、コンロバーナに点火する点火装置としての点火プラグと、コンロバーナの着火を検出する着火検出装置としての熱電対とが設けられ、グリル３にも同様に、グリルバーナに点火する点火装置としての点火プラグと、グリルバーナの着火を検出する着火検出装置としての熱電対が設けられる。点火プラグは、後述する加熱状態調節部１２ａ〜１２ｃにおける点火操作によってマイクロコンピュータからなる制御手段としての制御部１１（図２参照）により点火動作が行われ、熱電対において検出された着火（点火）情報は制御部１１に認識されて、制御部１１により点火プラグでの点火処理を終了する。
【００３４】
加熱手段としての各コンロバーナ及びグリルバーナには、図２に示すように、都市ガス等のガス燃料を供給する燃料供給路８からそれぞれ分岐する分岐供給路８ａが接続されている。なお、この図２では、ガスコンロ部２ａのコンロバーナのみを代表的に示している。燃料供給路８には、電磁弁９が設けられると共に、各分岐供給路８ａには、ガス燃料の供給量の調節を行うためステッピングモータにより駆動されて弁体の開度位置の微調整が可能な流量制御弁１０と、前記弁体の開度位置を検出する位置センサ（図示せず）と、安全弁（図示せず）が設けられている。電磁弁９、流量制御弁１０及び安全弁は、制御部１１によって制御され、位置センサにおける検出情報は、制御部１１によって認識・処理される。また、流量制御弁１０は、対応するコンロバーナ又はグリルバーナが使用されない時には、流量を零にして遮断状態となるように切り換えられる。
【００３５】
図１に示すように、コンロ本体１の前面の左右上部には、各ガスコンロ部２ａ〜２ｃのコンロバーナの加熱の開始／加熱の停止、すなわち、点火／消火、及び火力調節ための操作をそれぞれ行うための３つの加熱状態調節部１２ａ〜１２ｃが設けられている。この実施形態では、前面の左側に、標準火力のガスコンロ部２ａの加熱状態調節部１２ａを配設し、前面の右側に、高火力のガスコンロ部２ｂの加熱状態調節部１２ｂ及び小火力のガスコンロ部２ｃの加熱状態調節部１２ｃを配設している。
【００３６】
また、前面の右側上部には、制御部１１をはじめ電磁弁９や流量制御弁１０、入力部や加熱状態調節部１２ａ〜１２ｃ等の各部への通電の入切（オンオフ）を行う自動復帰型で押し釦式の電源スイッチ１３及び電源オン時に点灯する電源ランプ１３ａが設けられている。
【００３７】
制御部１１は、電源スイッチ１３がオン操作されることによって、給電ラインを介して電力が供給されて動作を開始すると共に、電源スイッチ１３がオフ操作された時に、直ちに給電ラインが遮断されないように、電源保持信号を出力して給電ラインを確保するように構成されており、制御部１１は、電源スイッチ１３がオフ操作されたときには、消火処理等の所要の制御を行った後に、電源保持信号の出力を停止して当該制御部１１への給電ラインを遮断する。
【００３８】
このように電源スイッチ１３をオフ操作した時に、制御部１１への電力の供給を直ちに遮断するのではなく、制御部１１が、消火処理等の所要の制御を終了した後に、当該制御部１１への電力の供給を遮断する構成は、従来と同様である。
【００３９】
各ガスコンロ部２ａ〜２ｃの点火／消火を指令するために操作される加熱／停止操作手段としての上記各加熱状態調節部１２ａ〜１２ｃは、前後方向に移動自在な押釦により構成され、ガスコンロ部２ａ〜２ｃの使用に当たっては、押釦よりなる加熱状態調節部１２ａ〜１２ｃを押圧して点火操作をすることで、後退していた加熱状態調節部１２ａ〜１２ｃが前方に突出して器具栓がＯＮとなり、流出するガス燃料にスパーク放電がなされてガスコンロ部２ａ〜２ｃのコンロバーナに点火される。
【００４０】
この押釦よりなる加熱状態調節部１２ａ〜１２ｃが前方に突出した状態で加熱状態調節部１２ａ〜１２ｃを指で摘んで回動操作すると、前記回動角度がロータリーエンコーダにより検出されて制御部１１に認識され、前記回動角度に応じた開度位置となるようにステッピングモータにより流量制御弁１０の弁体が駆動されてガス流量が制御されて、ガスコンロ部２ａ〜２ｃの火力が、この実施形態では、「１」〜「５」の５段階で制御できるようになっている。一方、消火にあたっては、前方に突出している加熱状態調節部１２ａ〜１２ｃを後方に押圧操作することで器具栓がＯＦＦとなってガスコンロ部２ａ〜２ｃのコンロバーナが消火される。
【００４１】
コンロ本体１の前面の左右の下部には、操作パネル１４，１５が収納自在に設けられている。右側の操作パネル１５には、グリル３に関する操作を行うためのグリル用調理設定入力部１６が設けられ、この操作パネル１５がグリル側操作パネルとなり、左側の操作パネル１４には、標準火力のガスコンロ部２ａによる調理設定の入力を行うためのガスコンロ用調理設定入力部1７が設けられ、この操作パネル１４がコンロ側操作パネルとなっている。
【００４２】
図３には、ガスコンロ用調理設定入力部１７を示している。標準火力のガスコンロ部２ａによる調理設定の入力を行うためのガスコンロ用調理設定入力部１７は、ガスコンロ部２ａによる調理時間を設定するためのタイマースイッチ１８、揚げ物、炊飯、湯沸し、煮込みの自動調理のメニューをそれぞれ設定するための各メニュースイッチ１９〜２２、及び、前記各スイッチ１８〜２２を操作して設定した各入力を取り消すための取消しスイッチ２３等を備えている。
【００４３】
タイマ設定部としてのタイマースイッチ１８のアップスイッチ１８ａ，ダウンスイッチ１８ｂを押すことにより、１分単位で１分〜１２０分迄のタイマ時間を設定することができ、設定されるタイマ時間が、タイマ表示部１８ｃに表示される。タイマ時間が設定されない場合は、初期設定値として、６０分が表示される。また、設定された調理モードの実行中は、表示部１８ｃには、残り時間が１分となるまでは１分の時間経過と共にデクリメントされた分単位の残時間が、表示され、残り時間が１分未満になると、残り時間が３０秒になるまでは、「１分」の値が表示され、残り時間が３０秒以下になると、ブザーで報知すると共に、１秒単位で１秒の時間経過と共にデクリメントされた秒単位の残時間が、表示され、残り時間が０になると「０」が１０回点滅し、ガスコンロ部２ａが消火し、設定された調理モードは終了する。
【００４４】
なお、タイマ時間が設定された調理モードの実行中に、タイマースイッチ１８のアップスイッチ１８ａ又はダウンスイッチ１８ｂを押すことにより、タイマ時間の設定の増減変更ができ、設定可能な最大時間は１２０分迄であり、ガスコンロ部２ａの連続使用可能時間は１２０分迄としている。
【００４５】
上記自動調理のメニュースイッチ１９〜２２の内、揚げ物用のメニュースイッチ１９を押すことで揚げものを自動調理で行う揚げ物モードとすることができ、この揚げ物用のメニュースイッチ１９を何回押すかによって、２００℃、１８０℃、１６０℃といった複数種類の揚げ物の調理の中から目的とする温度の揚げ物調理を設定することができ、設定に対応する温度表示ランプ１９ａが点灯する。また、炊飯用のメニュースイッチ２０を押すことで炊飯を自動調理で行う炊飯モードとすることができ、この炊飯用のメニュースイッチ２０を何回押すかによって、ご飯、おかゆといった複数種類の炊飯の調理の中から目的とする炊飯の調理を設定することができ、設定に対応する炊飯表示ランプ２０ａが点灯する。また、湯沸し用のメニュースイッチ２１を押すことで湯沸しを自動調理で行う湯沸しモードとすることができ、この湯沸し用のメニュースイッチ２１を何回押すかによって、自動消火、５分保温といった湯沸し後にすぐ消火するか、あるいは一定時間保温するかといった湯沸しを選択して設定することができ、設定に対応する湯沸し表示ランプ２１ａが点灯する。
【００４６】
更に、この実施形態では、煮込み用のメニュースイッチ２２を押すことで煮込みを自動調理で行う煮込み調理モードとすることができ、この煮込み用のメニュースイッチ２２を押す度に、煮込み火力が、「標準」（おでんやロールキャベツ等）→「強め」（肉じゃがや筑前煮、量が多い時等）→「弱め」（味噌汁や量が少ない時等）と、サイクリックに切替わり、所望の煮込み火力を設定することができ、設定に対応する煮込み火力表示ランプ２２ａが点灯する。この「標準」、「強め」、「弱め」を選択して設定することによって、後述のように、火力を切替え制御するための第１，第２設定温度を変更設定することができる。
【００４７】
各メニュースイッチ１９〜２２及びタイマースイッチ１８によって、調理モードを設定する調理モード設定手段が構成され、タイマ表示部１８ｃ及び各表示ランプ１９ａ〜２２ａによって、実行中の自動調理の残時間及びメニューを表示する自動調理用表示手段が構成される。
【００４８】
ガスコンロ用調理設定入力部１７において、標準火力のガスコンロ部２ａによる調理の設定入力が行われると、制御部１１により予め設定された制御内容に基づいて、ガスコンロ部２ａにおける火力調整、調理時間等が制御される。この場合、鍋の底部の温度を温度センサ７ａにより検出して、該温度センサ７ａで検出した鍋の底部の温度を、制御部１１に入力してフィードバック制御により火力調整を行うようになっている。また、制御部１１は、タイマースイッチ１８によって設定されるタイマ時間を計測するタイマ計測部としての機能を有する。
【００４９】
各ガスコンロ部２ａ〜２ｃの使用に当たっては、手動により加熱を行う場合には、コンロ本体１の前面に露出している加熱状態調節部１２ａ〜１２ｃを直接指で操作して制御部１１に指令を与えて点火、火力調整、消火を行うと共に、標準火力のガスコンロ部２ａで自動調理を行う場合には、後述のように、主として制御部１１によりガス流量及び火力が調整される。
【００５０】
また、自動調理の終了、タイマ機能、あるいは、安全装置により異常が検知されることで、自動消火される場合があり、この場合には、加熱状態調節部１２ａ〜１２ｃが、器具栓をＯＮとする状態であっても安全弁により燃料ガスが遮断されて消火される。
【００５１】
なお、自動調理の実行中に、使用者が、加熱状態調節部１２ａを押し込んで、ガスコンロ部２ａを消火するか、あるいは、鍋の底部の検出温度が、焦げ付きを防止する安全機能として設定しているハイカット温度、例えば、１５０℃を超えた場合にも、ガスコンロ部２ａは自動消火して自動調理は中止される。
【００５２】
次に、自動調理として煮込み調理モードの制御について、図４に基づいて、説明する。
【００５３】
図４は、煮込み調理モードが設定されて、加熱が開始された後の鍋の底部の検出温度の変化及び火力を示すものであり、横軸が時間を、縦軸が温度を示している。
【００５４】
先ず、使用者が電源スイッチ１３をオン操作し、制御部１１等に電力を供給し、煮込み用のメニュースイッチ２２によって、煮込み調理モードを設定し、加熱状態調節部１２ａを押圧して点火操作をすることで、煮込み調理モードが開始される。
【００５５】
煮込み調理モードが開始されると、温度センサ７ａで検出される鍋の底部の検出温度が、制御開始温度、例えば８０℃になるまでは、最初に使用者が加熱状態調節部１２ａを回動操作して設定した設定火力で加熱を行う。鍋の底部の検出温度が、８０℃になると、使用者によって設定された設定火力を、制御用の火力である第１の火力に切替える。この第１の火力は、上記５段階の火力「１」〜「５」の内、中程度の火力である火力「３」としている。
【００５６】
この第１の火力である火力「３」による加熱を継続し、鍋の底部の検出温度に基づいて、鍋内の加熱対象物が沸騰状態となったことが検出されると、その検出時点ｔ１から上記タイマースイッチ１８で設定されるタイマ時間の計測を開始する。沸騰状態を検出したときの鍋の底部の検出温度を、沸騰温度ＴBとして示している。
【００５７】
この実施形態では、沸騰状態の検出は、温度センサ７ａによる鍋の底部の検出温度が、所定温度、例えば１℃上昇するのに要する時間を計測し、その計測した時間が、一定時間、例えば４０秒を超えた時に沸騰状態として検出するようにしている。
【００５８】
沸騰状態が検出された後、更に、火力「３」での加熱を継続し、鍋の底部の検出温度に基づいて、検出温度が安定する平衡状態が検出されると、その検出時点ｔ２で第１の火力である火力「３」を、火力の弱い第２の火力に切替える。この第２の火力は、上述の５段階の火力「１」〜「５」の内、最も弱い火力である火力「１」としている。
【００５９】
この実施形態では、平衡状態の検出は、一定の判定期間毎、例えば３０秒毎に、その３０秒の判定期間の終了時点の鍋の底部の検出温度Ｔｅから開始時点の鍋の底部の検出温度Ｔｂを差し引いた温度差ΔＴ（＝Ｔｅ−Ｔｂ）が、所定温度範囲、例えば−２℃以上であって＋２℃以下の温度範囲（−２℃≦ΔＴ≦＋２℃）となったときに、平衡状態を検出したとして、その判定期間の終了時点の鍋の底部の検出温度Ｔｅを平衡温度Ｔαとしている。
【００６０】
この平衡状態の検出は、鍋の底部の検出温度が、上記制御開始温度である８０℃になった時点から開始され、例えば３０秒毎に平衡状態になったか否かが判定される。
【００６１】
平衡状態を検出した時点ｔ２で火力を、火力「３」から火力「１」へ弱めることによって、図４に示すように、鍋の底部の検出温度が下降し、平衡温度Ｔαよりも低い第２設定温度Ｔ２まで下降すると、その時点ｔ３で火力「１」を、この火力「１」よりも強く、かつ、火力「３」と同じか弱い第３の火力に切替える。この実施形態では、この第３の火力は、上述の第１の火力と同じ火力「３」としている。
【００６２】
このように第２設定温度Ｔ２になると、火力「３」に切替えて火力を強くするので、図４に示すように、鍋の底部の検出温度が再び上昇する。鍋の底部の検出温度が、平衡温度Ｔαよりも低く、かつ、第２設定温度Ｔ２よりも高い第１設定温度Ｔ１になると、その時点ｔ４で火力「３」を、弱い火力「１」に再び切替える。
【００６３】
以後は、同様にして、鍋の底部の検出温度が第２設定温度Ｔ２まで下降したら再び火力を火力「３」に切替え、第１設定温度Ｔ１まで上昇したら再び火力を火力「１」に切替え、鍋の底部の検出温度が、平衡温度Ｔαよりも低い第１，第２設定温度Ｔ１，Ｔ２に基づく温度範囲に制御される。
【００６４】
このように鍋の底部の検出温度が、平衡温度Ｔαよりも低い第１，第２設定温度Ｔ１，Ｔ２に基づく温度範囲に制御されている間に、沸騰温度ＴBの検出時点ｔ１から計測を開始したタイマ時間が、設定したタイマ時間になると、すなわち、タイムアップすると、ブザーによって報知し、ガスコンロ部２ａは自動消火して煮込み調理モードを終了する。使用者は、加熱状態調節部１２ａを押し込んで器具栓をＯＦＦにし、電源スイッチ１３を押して電源を切る。なお、電源スイッチ１３は、押さなくても全バーナが使用されていないときには、一定時間、例えば、３分後に自動的にオフとなる。
【００６５】
この実施形態では、平衡温度Ｔαよりも低い第１設定温度Ｔ１を、上記の煮込み用のメニュースイッチ２２の操作によって選択することができ、煮込み火力として、「強め」、「標準」、「弱め」のいずれを選択するかに応じて次のように設定される。すなわち、「強め」、「標準」、「弱め」の順で、第１設定温度Ｔ１は低く設定される。なお、第２設定温度Ｔ２は、いずれの火力を選択しても、第１設定温度Ｔ１に対して同じ温度だけ低く設定される。
【００６６】
従来では、煮込み調理モードなどの自動調理の実行中に、使用者が、不用意に電源スイッチ１３を押して電源を切ると、すなわち、電源スイッチ１３を不用意にオフ操作すると、ガスコンロ部２ａは自動消火して調理モードは途中で終了してしまう。このため、使用者は、自動調理を継続しようとすると、再度、調理モードの設定しなければならない。この場合、炊飯や煮込みといった自動調理が既に途中の状態まで進んでしまっているときには、残りの必要となる加熱工程が分からず、適切に調理を完了できない虞がある。
【００６７】
そこで、この実施形態では、自動調理の実行中に、例えば、煮込み調理の実行中に、使用者が不用意に電源スイッチ１３をオフ操作してしまったときにも、安全に煮込み調理を再び実行することができるように次のように構成している。
【００６８】
煮込み調理の実行中に、電源スイッチ１３がオフ操作された時、すなわち、使用者が不用意に電源スイッチ１３をオフ操作した時、制御部１１は、実行中の煮込み調理の制御状態に関する制御情報を記憶すると共に、安全弁により燃料ガスを遮断してガスコンロ部２ａを消火し、自動調理中断状態に移行する。
【００６９】
制御情報としては、例えば、電源スイッチ１３がオフ操作された時点のタイマ計測時間、平衡温度Ｔα、第１，第２設定温度Ｔ１，Ｔ２、あるいは、電源スイッチ１３がオフ操作された時点の火力などの情報であり、沸騰温度ＴBや平衡温度Ｔαが検出されていないときには、その情報が記憶される。
【００７０】
また、自動調理中断状態に移行したことを使用者に知らせるために、ガスコンロ用調理設定入力部１７の煮込みメニュースイッチ２２の煮込み火力の設定に応じた煮込み火力表示ランプ２２ａ、及び、残りの調理時間を表示しているタイマ表示部１８ｃを、通常の表示態様である点灯表示とは異なり、それぞれ例えば５回点滅表示させ、ブザーによって報知した後、煮込み火力表示ランプ２２ａ、及び、タイマ表示部１８ｃの残時間の表示を、消灯する。
【００７１】
この自動調理中断状態において、中断した自動調理を再開するための条件を満たす再開操作、この実施形態では、電源スイッチ１３がオフ操作された時点から所定時間、例えば、２０秒が経過するまでの期間内に、所要の操作、この実施形態では、使用者が、電源スイッチ１３を押す、すなわち、電源スイッチのオン操作をし、更に、加熱状態調節部１２ａを押し込んで、ガスコンロ部２ａを点火するための操作をすると、制御部１１は、自動調理中断状態を終了し、ガスコンロ部２ａを点火して、記憶した制御情報に基づいて、自動調理中断状態に移行する直前に実行していた煮込み調理モードを再び実行する。
【００７２】
再び実行される煮込み調理モードでは、記憶したタイマ計測時間、平衡温度Ｔα、第１，第２設定温度Ｔ１，Ｔ２、あるいは、火力などの制御情報に基づいて、中断した残りの煮込み調理モードが実行される。
【００７３】
再開された煮込み調理モードでは、タイマ時間の残時間がタイマ表示部１８ｃに再び表示されると共に、煮込みメニュースイッチ２２の煮込み火力の設定に応じた煮込み火力表示ランプ２２ａが点灯する。
【００７４】
タイマ時間は、自動調理中断状態においてもタイマ計測部により計測されており、再開された煮込み調理モードでは、計測されていた残時間がタイマ表示部１８ｃに表示される。なお、自動調理中断状態のタイマ時間は、計測しないようにしてもよい。
【００７５】
自動調理中断状態において、中断した自動調理を再開するための条件を満たす再開操作がされなかったとき、すなわち、所要の操作である電源スイッチ１３のオン操作、及び、加熱状態調節部１２ａによる点火操作が、所定時間が経過するまでの期間内にされなかったときには、自動調理中断状態に移行する直前に実行していた煮込み調理モードを終了し、記憶した制御情報をリセットする。その後、制御部１１は、上記の電源保持信号の出力を停止して当該制御部１１への給電ラインを遮断する。このように所定時間が経過するまでの期間内に、所要の操作がされないときには、煮込み調理モードを終了して制御部１１への電力の供給も遮断するので、電力の消費を抑制することができる。
【００７６】
以上のように煮込み調理モードの実行中に、使用者が不用意に電源スイッチ１３をオフ操作しても、煮込み調理モードが直ちに終了するのではなく、ガスコンロ部２ａを消火すると共に、制御情報を記憶する自動調理中断状態に移行し、この自動調理中断状態において、再開操作がされたときには、記憶した制御情報に基づいて、中断した煮込み調理モードを再開して残りの煮込み調理を実行し、再開操作がされなかったときには、中断した煮込み調理モードを終了させるので、使用者が、不用意に電源スイッチ１３をオフ操作しても、再開操作をすることによって適切に煮込み調理モードを完了させることができ、また、再開操作がされないときには、ガスコンロ部２ａが点火することがなく、安全である。
【００７７】
上記実施形態では、中断した自動調理を再開するための条件を満たす再開操作として、電源スイッチ１３がオフ操作された時点から所定時間が経過するまでの期間内の所要の操作としたけれども、他の実施形態として、電源スイッチ１３がオフ操作された時点における温度センサ７ａの検出温度が、所定温度、例えば、５℃低下するまでの期間内の所要の操作としてもよい。
【００７８】
すなわち、使用者が電源スイッチ１３を不用意にオフ操作した後、温度センサ７ａの検出温度が５℃低下するまでの期間内に、所要の操作、例えば、電源スイッチ１３がオン操作され、更に、加熱状態調節部１２ａが点火操作されたときには、再開操作がされたとして、中断した煮込み調理モードを再び実行するようにしてもよい。
【００７９】
また、再開操作として、上記のように所定時間が経過するまでの期間、あるいは、所定温度低下するまでの期間に限らず、所定時間と所定温度とを組合せてもよく、例えば、所定時間が経過するまでの期間及び所定温度低下するまでの期間のいずれか遅い期間などとしてもよい。なお、所定時間や所定温度は、上記に限らず、任意である。
【００８０】
また、所要の操作は、電源スイッチ１３のオン操作及び加熱状態調節部１２ａの点火操作に限らず、例えば、実行中であった自動調理のメニユースイッチの操作及び点火操作としてもよい。
【００８１】
上記実施形態では、自動調理として、煮込み調理モードについて説明したが、煮込み調理モード以外の揚げ物や炊飯、湯沸し、といった各自動調理においても、自動調理中に使用者が電源スイッチ１３を不用意に操作したときには、上記と同様に自動調理中断状態に移行し、この自動調理中断状態において、再開操作がされるか否かに応じて、自動調理を再び実行し、あるいは、自動調理を終了するようにしてもよい。
【００８２】
また、ガスコンロ部２ａ〜２ｃによる自動調理だけでなく、グリル３のグリル庫内で焼き網の上に魚を置いて焼く自動調理や、ダッチオーブンなどの容器をグリル皿の上に載せて調理する、ダッチオーブン自動調理においても適用可能である。
【００８３】
上記実施形態では、電源スイッチ１３と、ガスコンロ部２ａ〜２ｃの点火／消火を指令するために操作される加熱状態調節部１２ａ〜１２ｃは、個別に設けられているが、他の実施形態として、コンロバーナ等の加熱手段の点火／消火を指令するための点火／消火操作部と電源スイッチとを共用する構成、すなわち、点火／消火操作部の点火操作を行うことによって電源がオンして点火し、点火／消火操作部の消火操作を行うことによって、消火して電源がオフする構成の加熱調理器に適用してもよい。この場合、点火指令と通電指令が同一操作になるので、さらに操作性が良い。
【００８５】
また、加熱調理器は必ずしもビルトインタイプに限られるものではなく、卓上型の加熱調理器であってもよい。
【符号の説明】
【００８６】
２ａ〜２ｃ        ガスコンロ部
３                グリル
7ａ〜７ｃ         温度センサ
１１              制御部
１２ａ〜１２ｃ    加熱状態調節部
１３              電源スイッチ
１７              ガスコンロ用調理設定入力部
１８              タイマースイッチ
２２              煮込み調理用メニュースイッチ
【図１】
0006707323.tif 000002
【図２】
0006707323.tif 000003
【図３】
0006707323.tif 000004
【図４】
0006707323.tif 000005